【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
ＭＰＥＧ−ＤＡＳＨにおいて規定されるＭＰＤ（ＭｅｄｉａＰｒｅｓｅｎｔａｔｉｏｎＤｅｓｃｒｉｐｔｉｏｎ）をクライアントに提供するサーバであって、
第１ピリオドに関連付けられた第１リプリゼンテーションが有する複数のサブリプリゼンテーションのうちの第１サブリプリゼンテーションと、前記第１ピリオドとは異なる第２ピリオドに関連付けられた第２リプリゼンテーションが有する複数のサブリプリゼンテーションのうちの第２サブリプリゼンテーションと、が所定の連続性を有していることを表すＭＰＤを生成する生成手段と、
前記生成手段により生成されたＭＰＤをクライアントへ提供する提供手段と、を有し、
前記第１及び第２サブリプリゼンテーションが前記所定の連続性を有していることは、前記ＭＰＤが有する前記第１及び第２サブリプリゼンテーションに同じ識別情報が記述されることによって表されることを特徴とするサーバ。
【請求項２】
前記複数のサブリプリゼンテーションは、複数の画像領域に対応することを特徴とする請求項１に記載のサーバ。
【請求項３】
前記所定の連続性を有する前記第１及び第２サブリプリゼンテーションに対応する第１及び第２画像領域には、同一のオブジェクトが存在することを特徴とする請求項１又は２に記載のサーバ。
【請求項４】
前記所定の連続性を有する前記第１及び第２サブリプリゼンテーションに対応する第１及び第２画像領域には、同一人物が存在することを特徴とする請求項１又は２に記載のサーバ。
【請求項５】
前記ＭＰＤを取得した前記クライアントからメディアコンテンツの要求を受信する受信手段と、
前記受信手段による前記要求の受信に応じて、前記要求に対応するメディアコンテンツを前記クライアントに対して送信する送信手段とを有することを特徴とする請求項１又は２に記載のサーバ。
【請求項６】
前記提供手段は、前記クライアントからの要求に応じて前記ＭＰＤを提供することを特徴とする請求項１乃至３のうち、何れか１項に記載のサーバ。
【請求項７】
前記識別情報はアセットの識別のための識別子であることを特徴とする請求項１乃至４のうち、何れか１項に記載のサーバ。
【請求項８】
サブリプリゼンテーションは、リプリゼンテーションの一部であることを特徴とする請求項１乃至７のうち、何れか１項に記載のサーバ。
【請求項９】
サブリプリゼンテーションには、メディアコンテンツ構成要素に関する情報が記述されることを特徴とする請求項１乃至８のうち、何れか１項に記載のサーバ。
【請求項１０】
ＭＰＥＧ−ＤＡＳＨにおいて規定されるＭＰＤ（ＭｅｄｉａＰｒｅｓｅｎｔａｔｉｏｎＤｅｓｃｒｉｐｔｉｏｎ）をサーバから受信するクライアントであって、
第１ピリオドに関連付けられた第１リプリゼンテーションが有する複数のサブリプリゼンテーションのうちの第１サブリプリゼンテーションと、前記第１ピリオドとは異なる第２ピリオドに関連付けられた第２リプリゼンテーションが有する複数のサブリプリゼンテーションのうちの第２サブリプリゼンテーションと、が所定の連続性を有していることが表わされたＭＰＤをサーバから受信する受信手段と、
前記受信手段により受信されたＭＰＤを参照して、要求すべきデータを決定する決定手段と、
前記決定手段により決定されたデータを要求する要求手段と、を有することを特徴とするクライアント。
【請求項１１】
前記要求手段による要求により前記サーバから取得されたビデオストリームに基づいてビデオを再生する再生手段を有することを特徴とする請求項１０に記載のクライアント。
【請求項１２】
前記再生手段は、前記第１ピリオドのメディアコンテンツとして前記第１サブリプリゼンテーションに対応する第１ビデオを再生し、前記第１ピリオドに続く前記第２ピリオドのメディアコンテンツとして、前記第１サブリプリゼンテーションと前記所定の連続性を有する前記第２サブリプリゼンテーションに対応する第２ビデオを再生することを特徴とする請求項１１に記載のクライアント。
【請求項１３】
前記第１ビデオと前記第２ビデオはそれぞれ異なる画像領域に対応するビデオであることを特徴とする請求項１２に記載のクライアント。
【請求項１４】
ＭＰＥＧ−ＤＡＳＨにおいて規定されるＭＰＤ（ＭｅｄｉａＰｒｅｓｅｎｔａｔｉｏｎＤｅｓｃｒｉｐｔｉｏｎ）を提供するための情報処理方法であって、
第１ピリオドに関連付けられた第１リプリゼンテーションが有する複数のサブリプリゼンテーションのうちの第１サブリプリゼンテーションと、前記第１ピリオドとは異なる第２ピリオドに関連付けられた第２リプリゼンテーションが有する複数のサブリプリゼンテーションのうちの第２サブリプリゼンテーションと、が所定の連続性を有していることを表すＭＰＤを生成する生成工程と、
前記生成工程により生成されたＭＰＤを提供する提供工程と、を有し、
前記第１及び第２サブリプリゼンテーションが前記所定の連続性を有していることは、前記ＭＰＤが有する前記第１及び第２サブリプリゼンテーションに同じ識別子が記述されることによって表されることを特徴とする情報処理方法。
【請求項１５】
前記複数のサブリプリゼンテーションは、複数の画像領域に対応することを特徴とする請求項１４に記載の情報処理方法。
【請求項１６】
前記第１及び第２サブリプリゼンテーションに対応する第１及び第２画像領域には、同一のオブジェクトが存在することを特徴とする請求項１４又は１５に記載の情報処理方法。
【請求項１７】
ＭＰＥＧ−ＤＡＳＨにおいて規定されるＭＰＤ（ＭｅｄｉａＰｒｅｓｅｎｔａｔｉｏｎＤｅｓｃｒｉｐｔｉｏｎ）に基づいてメディアコンテンツ構成要素を取得するための情報処理方法であって、
第１ピリオドに関連付けられた第１リプリゼンテーションが有する複数のサブリプリゼンテーションのうちの第１サブリプリゼンテーションと、前記第１ピリオドとは異なる第２ピリオドに関連付けられた第２リプリゼンテーションが有する複数のサブリプリゼンテーションのうちの第２サブリプリゼンテーションと、が所定の連続性を有していることが表わされたＭＰＤをサーバから受信する受信工程と、
前記受信工程により受信されたＭＰＤを参照して、要求すべきデータを決定する決定工程と、
前記決定工程により決定されたデータを要求する要求工程と、を有することを特徴とする情報処理方法。
【請求項１８】
前記要求工程による要求により前記サーバから取得されたビデオストリームに基づいてビデオを再生する再生工程を有することを特徴とする請求項１７に記載の情報処理方法。
【請求項１９】
前記再生工程においては、前記第１ピリオドのメディアコンテンツとして前記第１サブリプリゼンテーションに対応する第１ビデオが再生され、前記第１ピリオドに続く前記第２ピリオドのメディアコンテンツとして前記第２サブリプリゼンテーションに対応する第２ビデオが再生されることを特徴とする請求項１８に記載の情報処理方法。
【請求項２０】
コンピュータを請求項１乃至９のうち、何れか１項に記載のサーバの各手段として動作させるためのプログラム。
【請求項２１】
コンピュータを請求項１０乃至１３のうち、何れか１項に記載のクライアントの各手段として動作させるためのプログラム。
【手続補正２】
【補正対象書類名】明細書
【補正対象項目名】００１６
【補正方法】変更
【補正の内容】
【００１６】
本発明の第一態様によれば、ＭＰＥＧ−ＤＡＳＨにおいて規定されるＭＰＤ（ＭｅｄｉａＰｒｅｓｅｎｔａｔｉｏｎＤｅｓｃｒｉｐｔｉｏｎ）をクライアントに提供するサーバは、第１ピリオドに関連付けられた第１リプリゼンテーションが有する複数のサブリプリゼンテーションのうちの第１サブリプリゼンテーションと、前記第１ピリオドとは異なる第２ピリオドに関連付けられた第２リプリゼンテーションが有する複数のサブリプリゼンテーションのうちの第２サブリプリゼンテーションと、が所定の連続性を有していることを表すＭＰＤを生成する生成手段と、前記生成手段により生成されたＭＰＤをクライアントへ提供する提供手段と、を有する。前記第１及び第２サブリプリゼンテーションが前記所定の連続性を有していることは、前記ＭＰＤが有する前記第１及び第２サブリプリゼンテーションに同じ識別情報が記述されることによって表される。